(57)【要約】【課題】ある接続先に接続中の携帯型情報端末が移動されて次の接続先に切り替える際に、自動的に次の接続先に対する認証を行うことができる自動接続システム、自動接続方法、自動接続機能を有する自動接続プログラム、自動接続機能を有する自動接続プログラムを記録したコンピュータ読み取り可能な情報記録媒体及び、携帯型情報端末を提供する。【解決手段】各接続先１０，１２は、接続先に関する認証情報を提供する認証情報提供手段５３を備え、前記携帯型情報端末１は、現在地を測位する測位手段１１ｈ，３１と、前記現在地に対応した接続先に関する前記認証情報を前記接続先から取得し、取得した前記認証情報によって認証を行う認証手段３８と、前記認証後に、認証した前記接続先に接続する接続手段３５とを備える。【選択図】　　　　図３
2004094630.tif 000002
【特許請求の範囲】
【請求項１】
移動可能であって、移動先である現在地に対応した接続先に接続する携帯型情報端末が、複数の接続先にそれぞれ適合した認証情報に基づいて認証を受けた後に、認証された前記接続先に接続する自動接続システムであって、
各前記接続先は、
前記接続先に関する認証情報を提供する認証情報提供手段を備え、
前記携帯型情報端末は、
現在地を測位する測位手段と、
前記現在地に対応した接続先に関する前記認証情報を前記接続先から取得し、取得した前記認証情報によって認証を行う認証手段と、
前記認証後に、認証した前記接続先に接続する接続手段と
を備えることを特徴とする自動接続システム。
【請求項２】
前記接続手段は、無線を利用したローカルエリアネットワークに接続する構成であることを特徴とする請求項１に記載の自動接続システム。
【請求項３】
前記認証手段は、前記携帯型情報端末の起動時に認証を行う構成としたことを特徴とする請求項１又は請求項２のいずれかに記載の自動接続システム。
【請求項４】
前記認証情報にはパスワードが含まれていることを特徴とする請求項１乃至請求項３のいずれかに記載の自動接続システム。
【請求項５】
前記認証情報には前記接続先のアクセスポイントが含まれていることを特徴とする請求項１乃至請求項３のいずれかに記載の自動接続システム。
【請求項６】
移動可能であって、移動先である現在地に対応した接続先に接続する携帯型情報端末が、複数の接続先にそれぞれ適合した認証情報に基づいて認証を受けた後に、認証された前記接続先に接続する自動接続方法であって、
前記携帯型情報端末が現在地を測位する測位ステップと、
前記接続先が、前記現在地に対応した接続先に関する前記認証情報を前記接続先から取得し、取得した前記認証情報によって認証を行う認証ステップと、
前記携帯型情報端末が、前記認証後に、認証した前記接続先に接続する接続ステップと
を有することを特徴とする自動接続方法。
【請求項７】
移動可能であって、移動先である現在地に対応した接続先に接続する携帯型情報端末が、複数の接続先にそれぞれ適合した認証情報に基づいて認証を受けた後に、認証された前記接続先に接続する自動接続機能を発揮させる自動接続プログラムであって、
各前記接続先では、
前記接続先に関する認証情報を提供する認証情報提供手段として、
前記携帯型情報端末では、
現在地を測位する測位手段と、
前記現在地に対応した接続先に関する前記認証情報を前記接続先から取得し、取得した前記認証情報によって認証を行う認証手段と、
前記認証後に、認証した前記接続先に接続する接続手段と
して機能させることを特徴とする自動接続プログラム。
【請求項８】
移動可能であって、移動先である現在地に対応した接続先に接続する携帯型情報端末が、複数の接続先にそれぞれ適合した認証情報に基づいて認証を受けた後に、認証された前記接続先に接続する自動接続機能を発揮させる自動接続プログラムを記録したコンピュータ読み取り可能な情報記録媒体であって、
各前記接続先では、
前記接続先に関する認証情報を提供する認証情報提供手段として、
前記携帯型情報端末では、
現在地を測位する測位手段と、
前記現在地に対応した接続先に関する前記認証情報を前記接続先から取得し、取得した前記認証情報によって認証を行う認証手段と、
前記認証後に、認証した前記接続先に接続する接続手段と
して機能を発揮させる自動接続プログラムを記録したことを特徴とするコンピュータ読み取り可能な情報記録媒体。
【請求項９】
複数の接続先にそれぞれ適合した認証情報に基づいて認証を受けた後に、認証された前記接続先に接続する携帯型情報端末であって、
現在地を測位する測位手段と、
前記現在地に対応した接続先に関する前記認証情報を前記接続先から取得し、取得した前記認証情報によって認証を行う認証手段と、
前記認証後に、認証した前記接続先に接続する接続手段と
を備えることを特徴とする携帯型情報端末。
【発明の詳細な説明】
【０００１】
【発明の属する技術分野】
本発明は、複数の接続先にそれぞれ適合した認証情報に基づいて認証を受けた後に、認証された接続先に接続する自動接続システム、自動接続方法、自動接続機能を有する自動接続プログラム、自動接続機能を有する自動接続プログラムを記録したコンピュータ読み取り可能な情報記録媒体及び、携帯型情報端末に関するものである。
【０００２】
【従来の技術】
近年の情報産業の発達によって、ＰＤＡ（Ｐｅｒｓｏｎａｌ　ＤｉｇｉｔａｌＡｓｓｉｓｔａｎｔ）やノート型パーソナルコンピュータのような携帯型情報端末が次々に開発されている。このような携帯型情報端末は、従来のデスクトップ型のコンピュータと同様に、ＬＡＮ（Ｌｏｃａｌ　Ａｒｅａ　Ｎｅｔｗｏｒｋ）のようなネットワークに対して有線のみならず無線で接続し、データ通信を行う技術を採用している。この無線ＬＡＮでは、無線を受信できるゾーン内においてデータ通信を行うことができる。
【０００３】
【発明が解決しようとする課題】
ところが、このような無線ＬＡＮでは、予め設定されたゲートウェイに対して接続を行うように構成されており、上記ゾーン内を移動する携帯型情報端末との間でデータ通信を無線で行うことができるにとどまっていた。つまり、携帯型情報端末が、複数の接続先に対して切り替えて接続する形態は従来存在しておらず、セキュリティを守りつつ複数の接続先に自動的に接続できるようにすることが望まれていた。
【０００４】
本発明の目的は、上記課題を解消して、ある接続先に接続中の携帯型情報端末が移動されて次の接続先に切り替える際に、自動的に次の接続先に対する認証を行うことができる自動接続システム、自動接続方法、自動接続機能を有する自動接続プログラム、自動接続機能を有する自動接続プログラムを記録したコンピュータ読み取り可能な情報記録媒体及び、携帯型情報端末を提供することである。
【０００５】
【課題を解決するための手段】
請求項１の発明は、移動可能であって、移動先である現在地に対応した接続先に接続する携帯型情報端末が、複数の接続先にそれぞれ適合した認証情報に基づいて認証を受けた後に、認証された前記接続先に接続する自動接続システムであって、各前記接続先は、前記接続先に関する認証情報を提供する認証情報提供手段を備え、前記携帯型情報端末は、現在地を測位する測位手段と、前記現在地に対応した接続先に関する前記認証情報を前記接続先から取得し、取得した前記認証情報によって認証を行う認証手段と、前記認証後に、認証した前記接続先に接続する接続手段とを備えることを特徴とする自動接続システムである。
請求項１の構成によれば、携帯型情報端末は、現在、ある接続先に接続しており、移動中である。この携帯型情報端末がある程度の距離を移動すると、その元々の接続先のゾーンから外れ、次の接続先のゾーン内に入る。この携帯型情報端末は、次の接続先に対して接続を試みる。まず、携帯型情報端末は、次の接続先からその認証情報を取得する。そして、携帯型情報端末では、取得された認証情報によって認証が行なわれ、認証後に次の接続先に接続する。このようにすると、携帯型情報端末は、ある接続先に接続中に移動しても、セキュリティを守りつつ次の接続先に自動的に接続することができる。
【０００６】
請求項２の発明は、請求項１の構成において、前記接続手段は、無線を利用したローカルエリアネットワークに接続する構成であることを特徴とする。
請求項２の構成によれば、無線を利用したローカルエリアネットワークに接続する携帯型情報端末が、ある接続先に接続中に移動しても、セキュリティを守りつつ次の接続先に自動的に接続することができる。
【０００７】
請求項３の発明は、請求項１又は請求項２のいずれかの構成において、前記認証手段は、前記携帯型情報端末の起動時に認証を行う構成としたことを特徴とする。
請求項３の構成によれば、携帯型情報端末は、ある接続先に接続しつつ行っていた作業を終了し、移動して次の接続先のゾーン内に入ると、まず次の接続先から認証情報を取得する。そして、この携帯型情報端末は、取得した認証情報により次の接続先に接続するための認証後、次の接続先に接続する。
【０００８】
請求項４の発明は、請求項１乃至請求項３のいずれかの構成において、前記認証情報にはパスワードが含まれていることを特徴とする。
【０００９】
請求項５の発明は、請求項１乃至請求項３のいずれかの構成において、前記認証情報には前記接続先のアクセスポイントが含まれていることを特徴とする。
請求項５の構成によれば、パスワードによって認証されない携帯型情報端末が接続されることを防止することができる。
【００１０】
請求項６の発明は、移動可能であって、移動先である現在地に対応した接続先に接続する携帯型情報端末が、複数の接続先にそれぞれ適合した認証情報に基づいて認証を受けた後に、認証された前記接続先に接続する自動接続方法であって、前記携帯型情報端末が現在地を測位する測位ステップと、前記接続先が、前記現在地に対応した接続先に関する前記認証情報を前記接続先から取得し、取得した前記認証情報によって認証を行う認証ステップと、前記携帯型情報端末が、前記認証後に、認証した前記接続先に接続する接続ステップとを有することを特徴とする自動接続方法である。
請求項６の構成によれば、携帯型情報端末は、現在、ある接続先に接続しており、移動中である。この携帯型情報端末がある程度の距離を移動すると、その元々の接続先のゾーンから外れ、次の接続先のゾーン内に入る。この携帯型情報端末は、次の接続先に対して接続を試みる。まず、携帯型情報端末は、次の接続先からその認証情報を取得する。そして、携帯型情報端末では、取得された認証情報によって認証が行なわれ、認証後に次の接続先に接続する。このようにすると、携帯型情報端末は、ある接続先に接続中に移動しても、セキュリティを守りつつ次の接続先に自動的に接続することができる。
【００１１】
上記目的は、請求項７の発明にあっては、移動可能であって、移動先である現在地に対応した接続先に接続する携帯型情報端末が、複数の接続先にそれぞれ適合した認証情報に基づいて認証を受けた後に、認証された前記接続先に接続する自動接続機能を発揮させる自動接続プログラムであって、各前記接続先では、前記接続先に関する認証情報を提供する認証情報提供手段として、前記携帯型情報端末では、現在地を測位する測位手段と、前記現在地に対応した接続先に関する前記認証情報を前記接続先から取得し、取得した前記認証情報によって認証を行う認証手段と、前記認証後に、認証した前記接続先に接続する接続手段として機能させることを特徴とする自動接続プログラムにより、達成される。
請求項７の構成によれば、携帯型情報端末は、現在、ある接続先に接続しており、移動中である。この携帯型情報端末がある程度の距離を移動すると、その元々の接続先のゾーンから外れ、次の接続先のゾーン内に入る。この携帯型情報端末は、次の接続先に対して接続を試みる。まず、携帯型情報端末は、次の接続先からその認証情報を取得する。そして、携帯型情報端末では、取得された認証情報によって認証が行なわれ、認証後に次の接続先に接続する。このようにすると、携帯型情報端末は、ある接続先に接続中に移動しても、セキュリティを守りつつ次の接続先に自動的に接続することができる。
【００１２】
上記目的は、請求項８の発明にあっては、移動可能であって、移動先である現在地に対応した接続先に接続する携帯型情報端末が、複数の接続先にそれぞれ適合した認証情報に基づいて認証を受けた後に、認証された前記接続先に接続する自動接続機能を発揮させる自動接続プログラムを記録したコンピュータ読み取り可能な情報記録媒体であって、各前記接続先では、前記接続先に関する認証情報を提供する認証情報提供手段として、前記携帯型情報端末では、現在地を測位する測位手段と、前記現在地に対応した接続先に関する前記認証情報を前記接続先から取得し、取得した前記認証情報によって認証を行う認証手段と、前記認証後に、認証した前記接続先に接続する接続手段として機能を発揮させる自動接続プログラムを記録したことを特徴とするコンピュータ読み取り可能な情報記録媒体により、達成される。
請求項８の構成によれば、携帯型情報端末は、現在、ある接続先に接続しており、移動中である。この携帯型情報端末がある程度の距離を移動すると、その元々の接続先のゾーンから外れ、次の接続先のゾーン内に入る。この携帯型情報端末は、次の接続先に対して接続を試みる。まず、携帯型情報端末は、次の接続先からその認証情報を取得する。そして、携帯型情報端末では、取得された認証情報によって認証が行なわれ、認証後に次の接続先に接続する。このようにすると、携帯型情報端末は、ある接続先に接続中に移動しても、セキュリティを守りつつ次の接続先に自動的に接続することができる。
【００１３】
上記目的は、請求項９の発明にあっては、複数の接続先にそれぞれ適合した認証情報に基づいて認証を受けた後に、認証された前記接続先に接続する携帯型情報端末であって、現在地を測位する測位手段と、前記現在地に対応した接続先に関する前記認証情報を前記接続先から取得し、取得した前記認証情報によって認証を行う認証手段と、前記認証後に、認証した前記接続先に接続する接続手段とを備えることを特徴とする携帯型情報端末により、達成される。
請求項９の構成によれば、携帯型情報端末は、現在、ある接続先に接続しており、移動中である。この携帯型情報端末がある程度の距離を移動すると、その元々の接続先のゾーンから外れ、次の接続先のゾーン内に入る。この携帯型情報端末は、次の接続先に対して接続を試みる。まず、携帯型情報端末は、次の接続先からその認証情報を取得する。そして、携帯型情報端末では、取得された認証情報によって認証が行なわれ、認証後に次の接続先に接続する。このようにすると、携帯型情報端末は、ある接続先に接続中に移動しても、セキュリティを守りつつ次の接続先に自動的に接続することができる。
【００１４】
【発明の実施の形態】
以下、本発明の好適な実施の形態を図面に基づいて説明する。
図１は、本発明の好ましい実施形態としての自動接続システム１００の構成例を示すシステム構成図である。
自動接続システム１００は、移動可能であって移動先である現在地に対応した接続先に接続する携帯型情報端末が、複数の接続先にそれぞれ適合した認証情報に基づいて認証を受けた後に、認証された接続先に自動的に接続する機能を有するシステムである。
【００１５】
この自動接続システム１００は、携帯型情報端末の一例としてのノート型パーソナルコンピュータ（以下「コンピュータ」という）１並びに、このコンピュータ１が接続する複数の接続先の一例としての第１基地局１０及び第２基地局１２を備え、コンピュータ１が無線を利用して第１基地局１０及び第２基地局１２のいずれかを選択して接続する構成となっている。尚、基地局の数は、上述のような２局のみならず、３局以上であっても良い。
【００１６】
ここで、この自動接続システム１００では、コンピュータ１が第１基地局１０及び第２基地局１２の代わりに、例えば１０ＢＡＳＥ−１００のような有線によってデータ通信を行う第１ネットワーク及び第２ネットワークのいずれかを選択して接続する構成であっても良いことはいうまでもない。また、この携帯型情報端末としては、このようなコンピュータ１以外にもＰＤＡ（Ｐｅｒｓｏｎａｌ　Ｄｉｇｉｔａｌ　Ａｓｓｉｓｔａｎｔ）、携帯電話機であっても良いことはいうまでもない。
【００１７】
第１基地局１０及び第２基地局１２は、それぞれ第１ゾーン１０ａ及び第２ゾーン１２ａ内においてコンピュータ１との間で、無線によりデータ通信を行う機能を有する。これら第１基地局１０及び第２基地局１２は、それぞれ接続するコンピュータ１に適合した認証情報を管理しており、コンピュータ１毎の認証情報を提供する機能を有する。
【００１８】
コンピュータ１は、上述のように第１基地局１０及び第２基地局１２のいずれかを選択して接続する機能を有する。このコンピュータ１と第１基地局１０及び第２基地局１２とは、例えばＴＣＰ／ＩＰ（Ｔｒａｎｓｍｉｓｓｉｏｎ　Ｃｏｎｔｒｏｌ　Ｐｒｏｔｏｃｏｌ／Ｉｎｔｅｒｎｅｔ　Ｐｒｏｔｏｃｏｌ）に従ってデータ通信を行う機能を有する。また、このコンピュータ１は、使用者によって携帯され、第１ゾーン１０ａや第２ゾーン１２ａ、或いはその他のゾーンへと移動されるようになっている。この第１ゾーン１０ａは、コンピュータ１が無線によって第１基地局１０に接続可能な範囲を示しており、第２ゾーン１２ａは、コンピュータが無線によって第２基地局１２に接続可能な範囲を示している。つまり、第１ゾーン１０ａは第１基地局１０に対応しており、第２ゾーン１２ａは第２基地局１２に対応している。
【００１９】
このコンピュータ１は、後述するように、例えばＧＰＳ（Ｇｌｏｂａｌ　Ｐｏｓｉｔｉｏｎｉｎｇ　Ｓｙｓｔｅｍ）を利用して現在地を測位する機能を有し、その現在地に対応した接続先としての第１基地局１０や第２基地局１２に接続する機能を有する。具体的には、このコンピュータ１は、例えば第１基地局１０に接続中であって移動中に第１ゾーン１０ａから第２ゾーン１２ａに入ると、第１基地局１０から第２基地局１２へ接続先を変更する。第２基地局１２は、接続の際にコンピュータ１に対して、例えばアカウントやパスワード或いは鍵データを要求する。
【００２０】
このコンピュータ１は、図示しないマウス、表示部２及び本体３を備えており、本体３には文字や記号を入力するためのキーボード５が設けられている。このキーボード５は、コンピュータ１の操作者によって、表示部２に表示された所定のウィンドウの入力欄に、上記アカウントやパスワードを入力するための操作手段である。尚、このアカウントやパスワードは、図示しないマウスのようなポインティングデバイスやタブレット１４によって入力されるようにしても良い。
【００２１】
図２は、図１のコンピュータ１のハードウェア構成例を示すブロック図である。
コンピュータ１は、ＣＰＵ１１ａ、ＲＡＭ１１ｂ、ＲＯＭ１１ｃ、操作部１１ｄ、表示部１１ｇ、通信部１１ｅ及びＧＰＳ信号受信部１１ｈを備えている。
【００２２】
ＣＰＵ１１ａは、中央演算処理部であり、ＲＡＭ１１ｂを作業領域として、上記自動接続機能を有する自動接続プログラム９９を動作させたり、バス１１ｉに接続されたＲＯＭ１１ｃ等を制御している。このＲＯＭ１１ｃは、読み出し専用の情報記録媒体であり、書き換え可能な不揮発性メモリであるフラッシュＲＯＭも含んでいても良い。
【００２３】
ＲＡＭ１１ｂは、上記自動接続プログラムを実行するための作業ゾーンとしての機能を有する。操作部１１ｄは、表示部１１ｇの画面に表示されたボタン等のオブジェクトを操作するための図示しないマウス、タブレット１４、キーボード５等の操作手段である。
【００２４】
表示部１１ｇは、文字や図形を表示する機能を有する表示手段であり、例えばＬＣＤ（Ｌｉｑｕｉｄ　Ｃｒｙｓｔａｌ　Ｄｉｓｐｌａｙ）やＥＬ（Ｅｌｅｃｔｒｏ　Ｌｕｍｉｎｅｓｃｅｎｃｅ）である。通信部１１ｅは、例えばネットワークカードであり、コンピュータ１の外部である第１基地局１０や第２基地局１２とデータ通信を行う機能を有する。
【００２５】
ＧＰＳ（Ｇｌｏｂａｌ　Ｐｏｓｉｔｉｏｎｉｎｇ　Ｓｙｓｔｅｍ）信号受信部１１ｈは、衛星からのＧＰＳ信号を受信する機能を有し、このＧＰＳ信号に基づいて現在地を把握することができる。ここで、現在地等の位置情報は、例えば緯度、経度及び高さで示される。
【００２６】
図３は、図１の第１基地局１０や第２基地局１２のソフトウェアの構成例を示すブロック図である。尚、第１基地局１０と第２基地局１２とは、距離が離れている点及び認証情報５５の内容が異なる点を除いて同様の構成であるので、第１基地局１０について説明する。
第１基地局１０は、認証情報５５、認証情報提供部５３（認証情報提供手段）及び通信部５１を備えている。認証情報５５は、上記コンピュータ１がこの第１基地局１０に接続する際に行う認証に必要な情報、例えばアカウントやパスワード、アクセスポイント或いは鍵データである。認証情報提供部５３は、コンピュータ１からの要求に応じて通信部５１を制御して、この接続先としての第１基地局１０に関する認証情報５５をコンピュータ１に提供する機能を有する。
【００２７】
通信部５１は、認証情報提供部５３や接続処理部５７の制御により、コンピュータ１との間でデータ通信を行う機能を有する。この接続処理部５７は、認証後にコンピュータ１と自動的に接続するための一連の処理を行う機能を有する。
【００２８】
図４は、図１のコンピュータ１に搭載されたソフトウェアの構成例を示すブロック図である。まず、コンピュータ１の構成の概要について説明する。
コンピュータ１は、移動可能であって、移動先の現在地をゾーン（第１ゾーン１０ａや第２ゾーン１２ａ）として含む接続先（第１基地局１０や第２基地局１２）に接続する機能を有する。
【００２９】
このコンピュータ１は、現在地を取得する測位手段（ＧＰＳ受信部制御部３１）と、現在地に対応した接続先に関する認証情報を接続先から取得し、取得した認証情報によって認証を行う認証手段（認証部３８）と、その接続先による認証後に、認証した接続先に接続する接続手段（接続処理部３５）とを備えている。以下より具体的に説明する。
【００３０】
このコンピュータ１は、ゾーンデータテーブル４１、セキュリティ管理テーブル３９、ゾーン判定部３７、ＧＰＳ受信部制御部３１、通信部３３、接続処理部３５及び認証部３８をソフトウェアとして備えている。
ゾーンデータテーブル４１は、各ゾーンに関する情報を管理しており、例えばゾーンコード、ゾーン種類、中心位置、ゾーン半径に関する情報を有している。セキュリティ管理テーブル３９は、各ゾーンに対応した基地局に接続する際のセキュリティに関する情報を管理しており、例えばゾーンコード、アカウント、パスワードに関する情報を管理している。尚、このセキュリティ管理テーブル３９は、ゾーンコード及び鍵データ等の認証コードに関する情報を管理するようにしても良い。
【００３１】
ＧＰＳ受信部制御部３１は、図２のＧＰＳ信号受信部１１ｈを制御するドライバソフトウェアである。このＧＰＳ受信部制御部３１は、ゾーン判定部３７の制御により、図２のＧＰＳ信号受信部１１ｈによって測位された現在地に関する位置情報を取得する機能を有する。このゾーン判定部３７は、コンピュータ１が現在、どのゾーン内に存在しているかを判断する機能を有する。
【００３２】
このゾーン判定部３７は、ゾーンデータテーブル４１からのゾーンに関する情報に基づいて、コンピュータ１がどのゾーンに存在しているかを判定する。そして、このゾーン判定部３７は、コンピュータ１が存在するゾーンに対応した接続先に対して、このゾーンに関する認証情報を要求し、認証情報を取得する。ここで、取得された認証情報としては、この接続先に対応したアカウントに対するパスワードである。
【００３３】
認証部３８は、通信部３３を制御し、認証情報５５をコンピュータ１側に要求する代わりに、接続先としての第１基地局１０や第２基地局１２から取得する構成となっている。そして、接続処理部３５は、認証部３８の認証結果に応じて、通信部３３を制御して、各ゾーンに対応した接続先としての第１基地局１０や第２基地局１２のいずれかに接続する。このようにしてコンピュータ１は、第１基地局１０や第２基地局１２との間でデータ通信を行う。
【００３４】
自動接続システム１００は以上のような構成であり、次に図１〜図４を参照しつつその動作例について説明する。
図５は、自動接続システム１００の動作例を示すフローチャートであり、図６は、コンピュータ１が第１基地局１０から第２基地局１２に移動される様子の一例を示す図である。
まずステップＳＴ１では、操作者がコンピュータ１を携帯しており、コンピュータ１が移動している。次にステップＳＴ２では、コンピュータ１が、図４のＧＰＳ受信部制御部３１の制御によって、ＧＰＳ信号受信部１１ｈに現在地を測位させる。次にステップＳＴ３では、ゾーン判定部３７が、ゾーンデータテーブル４１からゾーンに関する情報を取得し、測位した現在地に基づいて、コンピュータ１がどのゾーンに存在しているかを判断する。ここで、コンピュータ１は、例えば図５の第１ゾーン１０ａ内に存在しているものとする。
【００３５】
次にステップＳＴ４では、コンピュータ１が、第１ゾーン１０ａに対応する第１基地局１０に接続を試みる。次にステップＳＴ５ａでは、認証部３８が、第１基地局１０から認証情報５５を取得する。次にステップＳＴ５ｂでは、認証部３８が、取得された認証情報により認証を行い、接続処理部３５に通信部３３を制御させて第１基地局１０に接続する処理を行わせる。認証された後、ステップＳＴ６では、接続処理部３５が通信部３３を制御することで、コンピュータ１が第２基地局１２に接続を行う。これにより、コンピュータ１が第２基地局１２との間でデータ通信ができるようになる。
【００３６】
次にステップＳＴ７では、図６に示すように操作者がコンピュータ１を携帯したまま第２ゾーン１２ａ内に移動する。そして、ステップＳＴ８では、コンピュータ１が、ステップＳＴ２と同様に現在地を測位する。次にステップＳＴ９では、ステップＳＴ３と同様にゾーン判定部３７によって、コンピュータ１が第２ゾーン１２ａ内に存在していることを判別する。次にステップＳＴ１０では、ステップＳＴ４と同様に接続処理部３５による接続処理が開始される。
【００３７】
次にステップＳＴ１１ａでは、ステップＳＴ５ａと同様に認証部３８によって、第２基地局１２から認証情報５５を取得する。次にステップＳＴ１１ｂで認証された後、ステップＳＴ１２では、ステップＳＴ６と同様に接続処理部３５が通信部３３を制御することで、コンピュータ１が第２基地局１２に接続を行い、コンピュータ１が第２基地局１２との間でデータ通信を行うことができるようになる。
【００３８】
本発明の実施形態によれば、第１基地局１０に接続中のコンピュータ１が移動されて次の第２基地局１２に切り替える際に、自動的に次の第２基地局１２に対する認証を行うことができる。
【００３９】
本発明は、上記実施の形態に限定されず、特許請求の範囲を逸脱しない範囲で種々の変更を行うことができる。
例えば、上記実施形態の各構成は、その一部を省略したり、上記とは異なるように任意に組み合わせることができる。
【００４０】
また、自動接続システム１００を動作させるための上記自動接続機能を有する自動接続プログラムは、上述のようにコンピュータ等の電子機器にインストールされ動作している形態のみならず、例えばフレキシブルディスク、ＣＤ（Ｃｏｍｐａｃｔ　Ｄｉｓｃ：商標名）、ＣＤ−Ｒ（Ｃｏｍｐａｃｔ　Ｄｉｓｃ−Ｒｅｃｏｒｄａｂｌｅ）、ＣＤ−ＲＷ（Ｃｏｍｐａｃｔ　Ｄｉｓｃ−ＲｅＷｒｉｔｅｒｂｌｅ）又はＤＶＤ（Ｄｉｇｉｔａｌ　Ｖｅｒｓａｔｉｌｅ　Ｄｉｓｃ）等の情報記録媒体に格納されて流通されている形態でも良い。
【００４１】
また、この自動接続プログラムは、上記情報記録媒体に格納されている形態のみならず、無線又は有線によってデータ通信を行うネットワーク等の伝送媒体に接続されたコンピュータ等の電子機器に記録されており、ネットワーク等の伝送媒体を経由してユーザのコンピュータ等の電子機器にダウンロードされる形態であっても良い。
【００４２】
【発明の効果】
本発明によれば、ある接続先に接続中の携帯型情報端末が移動されて次の接続先に切り替える際に、自動的に次の接続先に対する認証を行うことができる自動接続システム、自動接続方法、自動接続機能を有する自動接続プログラム、自動接続機能を有する自動接続プログラムを記録したコンピュータ読み取り可能な情報記録媒体及び、携帯型情報端末を提供することができる。
【図面の簡単な説明】
【図１】本発明の第１実施形態としての自動接続システムの構成例を示すシステム構成図。
【図２】図１のコンピュータのハードウェア構成例を示すブロック図。
【図３】図１の第１基地局や第２基地局のソフトウェアの構成例を示すブロック図。
【図４】図１のコンピュータに搭載されたソフトウェアの構成例を示すブロック図。
【図５】自動接続システムの動作例を示すフローチャート。
【図６】コンピュータが第１基地局から第２基地局に移動される様子の一例を示す図。
【符号の説明】
１・・・コンピュータ（携帯型情報端末），１０・・・第１基地局（接続先），１１ｈ・・・ＧＰＳ信号受信部（測位手段），１２・・・第２基地局（接続先），３１・・・ＧＰＳ受信部制御部（測位手段），３５・・・接続処理部（接続手段），３８・・・認証部（認証手段），５３・・・認証情報提供部（認証情報提供手段），９９・・・自動接続プログラム，１００・・・自動接続システム
【図１】
2004094630.tif 000003
【図２】
2004094630.tif 000004
【図３】
2004094630.tif 000005
【図４】
2004094630.tif 000006
【図５】
2004094630.tif 000007
【図６】
2004094630.tif 000008